(57)【要約】【課題】  ワイドトレッドスペーサーに更なる機能を与えると共に、意匠的（視覚的）にも魅力のあるワイドトレッドスペーサーを提供する。【解決手段】  トレッド量を調整するための厚みとして機能する本体外周面に、軸方向一方側から他方側に向かって且つ周方向に位置を変化させながら溝を形成してワイドトレッドスペーサーを構成する。【選択図】図２
2020121613.tif 000002
【特許請求の範囲】
【請求項１】
車両側のハブとホイールの間に装着してトレッド量を増加させるワイドトレッドスペーサーであって、
トレッド量を調整するための厚みとして機能する本体外周面に、凹形状及び／又は凸形状を備える
ことを特徴とするワイドトレッドスペーサー。
【請求項２】
請求項１において、
前記凹形状は、軸方向一方側から他方側に向かって且つ周方向に位置を変化させながら形成された溝である
ことを特徴とするワイドトレッドスペーサー。
【請求項３】
請求項１において、
前記凸形状は、軸方向一方側から他方側に向かって且つ周方向に位置を変化させながら形成された凸条である
ことを特徴とするワイドトレッドスペーサー。
【請求項４】
請求項１において、
前記凹形状は、軸方向一方側から他方側に向かって且つ周方向に位置を変化させながら形成された溝であり
前記凸形状は、軸方向一方側から他方側に向かって且つ周方向に位置を変化させながら形成された凸条であり、
当該凹形状と凸形状が、本体外周面に相互に配置されている
ことを特徴とするワイドトレッドスペーサー。
【発明の詳細な説明】
【技術分野】
【０００１】
本発明は、自動車の技術分野に関し、特に詳しくは、車両側のハブとホイールの間に装着してトレッド量を増加させるワイドトレッドスペーサーに関する。
【背景技術】
【０００２】
従来から、車両側のハブとホイール（アルミホイール等）の間に、所望の厚さのスペーサーを装着することによって、トレッド量を増加させるスペーサーは公知である（例えば特許文献１を参照）。
【先行技術文献】
【特許文献】
【０００３】
【特許文献１】実用新案登録第３０７８５０９号公報
【発明の概要】
【発明が解決しようとする課題】
【０００４】
しかしながら、従来からのワイドトレッドスペーサーは、単にトレッド量を変化させるという機能しか有していないものであった。
【０００５】
また、制動装置（ブレーキパッドやブレーキキャリパー等）の周辺は、ブレーキダスト等により汚れ易いという問題点もあった。
【０００６】
そこで本発明は、こういった問題点を解決するべくなされたものであって、ワイドトレッドスペーサーに更なる機能を与えると共に、意匠的（視覚的）にも魅力のあるワイドトレッドスペーサーを提供する事をその課題としている。
【課題を解決するための手段】
【０００７】
上記課題を解決するべく、本願発明は、車両側のハブとホイールの間に装着してトレッド量を増加させるワイドトレッドスペーサーであって、トレッド量を調整するための厚みとして機能する本体外周面に、凹形状及び／又は凸形状を備えることを特徴とする。
【０００８】
このように構成したことによって、ワイドトレッドスペーサーに更なる機能を与えると共に、意匠的（視覚的）にも魅力のあるワイドトレッドスペーサーを提供する事が可能になった。
【０００９】
発明者は、そのワイドトレッドスペーサーが装着される「位置」と「動き」に着目したのである。即ち、ワイドトレッドスペーサーは、制動装置（ブレーキパッドやブレーキキャリパー等）に非常に近い位置に配置されると共に、運転時は高速回転する点に着目し、トレッド量を調整するための「厚み」として機能する本体外周面に凹凸を設けることによって意図的に気流の乱れを発生させる機能を持たせたのである。その気流の乱れによって、発生するブレーキダストを撹拌乃至は吹き飛ばすような作用が発揮され、ブレーキダストの付着量低減を図っているのである。また同時に、この発生する気流によって、制動装置（ブレーキパッドやブレーキキャリパー等）を積極的に冷却するという効果も発揮するのである。
【００１０】
更に、ワイドトレッドスペーサーは、高熱となるブレーキローターに重ねるように配置される部品でもあるため、本体外周面に設けた凹凸により表面積が増加し、放熱性能の向上にも寄与するものである。同時に、仮にブレーキローターからの高熱により取り付けたワイドトレッドスペーサーが固着してしまったような場合でも、本体外周面に設けた凹凸に何らかの部材を引っ掛けて取り外すことも可能となっている。凹凸を付けた本体外周面は、軸心から最も遠い距離となるため、テコの原理により効率的に取り外すための力を作用させることが可能となっている。
【００１１】
加えて、近年のホイール（アルミホイール等）の大口径化に伴い、ワイドトレッドスペーサーは外部から視覚的にも注目されやすい部分となっているが、その部分に凹凸を設けた事によって、意匠的にも優れ、使用者の満足感を向上させるという機能も発揮できるものである。
【００１２】
また、前記凹形状は、軸方向一方側から他方側に向かって且つ周方向に位置を変化させながら形成された溝として構成することも可能である。
【００１３】
また、前記凸形状は、軸方向一方側から他方側に向かって且つ周方向に位置を変化させながら形成された凸条で構成することも可能である。
【００１４】
また、前記凹形状は、軸方向一方側から他方側に向かって且つ周方向に位置を変化させながら形成された溝として構成し、前記凸形状は、軸方向一方側から他方側に向かって且つ周方向に位置を変化させながら形成された凸条として構成し、当該凹形状と凸形状が、本体外周面に相互に配置してもよい。
【発明の効果】
【００１５】
本発明を適用することで、ワイドトレッドスペーサーに更なる機能を与えると共に、意匠的（視覚的）にも魅力のあるワイドトレッドスペーサーを提供することができる。
【図面の簡単な説明】
【００１６】
【図１】本発明の実施形態の一例であるワイドトレッドスペーサーを装着した状態の概略構成図である。
【図２】本発明の実施形態の一例であるワイドトレッドスペーサーの第１実施例をしめした斜視図である。
【図３】本発明の実施形態の一例であるワイドトレッドスペーサーの第２実施例をしめした斜視図である。
【図４】本発明の実施形態の一例であるワイドトレッドスペーサーの第３実施例をしめした斜視図である。
【発明を実施するための形態】
【００１７】
以下、添付図面を参照しつつ、本発明の実施形態の一例であるワイドトレッドスペーサー１００について説明を加える。なお、図面理解容易の為、各部の大きさや寸法を誇張して表現している部分があり、実際の製品と必ずしも一致しない部分があることを付記しておく。また、各図面は符号の向きに見るものとし、当該向きを基本に上下左右、手前、奥と表現する。
【００１８】
〈ワイドトレッドスペーサーの構成〉
本発明の実施形態の一例として示すワイドトレッドスペーサー１００は、図１に示しているように、車両のハブ１４と、ホイール１２の間に挟まれるように配置して使用する。より具体的には、ハブ１４にブレーキローター１６が取り付けられ、そのブレーキローター１６の手前側（ホイール側）に重ねるように配置される。
【００１９】
図２に示しているように、ワイドトレッドスペーサー１００は、略扁平ドーナツ形状を呈しており、表面から裏面にかけて貫通するボルト穴１０４が、複数設けられている。また、中央の貫通孔の周囲には、ホイールを位置決めするためのホイール係止部１０６が形成されている。
【００２０】
また、トレッド量を調整するための厚みとして機能する本体外周面には、軸方向一方側から他方側に向かって且つ周方向に位置を変化させながら形成された溝（凹形状）１０２が複数形成されている。
【００２１】
なお、溝の形状はこれに限定されるものではなく、例えば、軸方向一方側から他方側に向かって且つ周方向に位置を変化させながら形成された溝を２つ組み合わせて「Ｘ」のように構成することも可能である（図３参照）。
【００２２】
更に、溝だけでなく、軸方向一方側から他方側に向かって且つ周方向に位置を変化させながら形成された凸条として構成することも可能である（図４参照）。
【００２３】
更に、図示はしていないが、溝と凸条を組み合わせて構成することも可能である。
【００２４】
〈ワイドトレッドスペーサーの作用・機能〉
ワイドトレッドスペーサー１００は、一旦装着してしまうと、それ以降はタイヤ１０やホイール１２の回転に連動して回転する。一般的なワイドトレッドスペーサーの場合は、単に一緒に回転しているに過ぎないが、本発明にかかるワイドトレッドスペーサー１００、２００、３００には、トレッド量を調整するための厚みとして機能する本体外周面に、
溝１０２、２０２や凸条３０２が形成されている。
【００２５】
これら溝１０２、２０２や凸条３０２が形成されている事によって、ワイドトレッドスペーサーが回転すると、本体外周面の周辺にある空気をかき乱し、乱気流が発生する。その気流の乱れによって、発生するブレーキダストを撹拌乃至は吹き飛ばす結果、ブレーキダストの付着量低減を図ることが可能となっている。また同時に、この発生する気流によって、制動装置（ブレーキパッドやブレーキキャリパー等）を積極的に冷却することも可能となっている。
【００２６】
また、ワイドトレッドスペーサー１００、２００、３００は、高熱となるブレーキローター１６に重ねるように配置される部品でもあるため、本体外周面に設けた溝１０２、２０２や凸条３０２により表面積が増加し、ブレーキローター１６側から伝導される熱の放熱性向上にも寄与する。同時に、仮にブレーキローター１６からの高熱により取り付けたワイドトレッドスペーサー１００、２００、３００が固着してしまったような場合でも、本体外周面に設けた溝１０２、２０２や凸条３０２に何らかの部材を引っ掛けて取り外すことも可能となっている。溝１０２、２０２や凸条３０２を付けた本体外周面は、軸心から最も遠い距離となるため、テコの原理により効率的に取り外すための力を作用させることが可能となっている。
【００２７】
加えて、近年のホイール（アルミホイール等）１２の大口径化に伴い、ワイドトレッドスペーサー１００、２００、３００は外部から視覚的にも注目されやすい部分となっているが、その部分に溝１０２、２０２や凸条３０２を設けた事によって、意匠的にも優れ、使用者の満足感が向上する。
【符号の説明】
【００２８】
１０・・・タイヤ
１２・・・ホイール
１４・・・ハブ
１６・・・ブレーキローター
１８・・・ブレーキキャリパー
１００、２００、３００・・・ワイドトレッドスペーサー
１０２、２０２・・・溝（スリット）
１０４、２０４、３０４・・・ボルト穴
１０６、２０６、３０６・・・ホイール係止部
３０２・・・凸条
【図１】
2020121613.tif 000003
【図２】
2020121613.tif 000004
【図３】
2020121613.tif 000005
【図４】
2020121613.tif 000006